(57)【要約】【課題】振動を抑制することで使用者の快適性を向上させたドライヤーを提供する。【解決手段】前後に延びる中心軸に沿って前方へ風を送り出すドライヤーであって、中心軸を中心とするシャフトを含むロータを有するモータと、シャフトの後側に取り付けられるインペラと、モータの径方向外側に位置し、モータを保持する筒状のモータ装着部と、モータをモータ装着部に取り付ける取付部と、モータ装着部の径方向外側を周方向に囲む筒状のドライヤーケースと、を備える。モータ装着部は、ドライヤーケースに固定される静翼を有する。取付部は、モータの前側の端部とインペラとの前後方向の間でモータ装着部に固定され、モータは、モータの前側の端部がモータ装着部に対して径方向に揺動可能である。【選択図】図１
2017006315.tif 000002
【特許請求の範囲】
【請求項１】
前後に延びる中心軸に沿って前方へ風を送り出すドライヤーであって、
前記中心軸を中心とするシャフトを含むロータを有するモータと、
前記シャフトの後側に取り付けられるインペラと、
前記モータの径方向外側に位置し、前記モータを保持する筒状のモータ装着部と、
前記モータを前記モータ装着部に取り付ける取付部と、
前記モータ装着部の径方向外側を周方向に囲む筒状のドライヤーケースと、を備え、
前記モータ装着部は、前記ドライヤーケースに固定される静翼を有し、
前記取付部は、前記モータの前側の端部と前記インペラとの前後方向の間で前記モータ装着部に固定され、
前記モータは、モータの前記前側の端部が前記モータ装着部に対して径方向に揺動可能である、
ドライヤー。
【請求項２】
前記モータ装着部は、該モータ装着部の内周面から径方向内側に突出する凸部を有し、
前記取付部は、前記凸部に固定される、
請求項１に記載のドライヤー。
【請求項３】
前記モータ装着部は、前記モータの径方向外側に位置する有底筒状の外筒ケースを含み、
前記外筒ケースは、前後方向に延びる筒状の外筒部と、
前記外筒部の後側端部から径方向内側に延びる底板部と、
前記外筒部の径方向内側に位置し、前記底板部から前側に延びる内筒部と、
を有し、
前記取付部は、
前記底板部から前記内筒部の内壁に沿って前側に延びる第１取付部と、
前記モータの前側の端部と前記第１取付部とを接続する第２取付部と、を含む、
請求項１に記載のドライヤー。
【請求項４】
前記内筒部は、前側の剛性が後側の剛性よりも低い、
請求項３に記載のドライヤー。
【請求項５】
前記内筒部の内壁は、径方向に貫通するスリットを有し、
前記スリットは、前記第１取付部の前側の端部よりも前側および周方向両側に位置する
請求項３又は４に記載のドライヤー。
【請求項６】
前記内筒部の内壁は、前側に開口する切欠を有し、
前記切欠は、前記第１取付部材と周方向に異なる位置にある、
請求項３又は４に記載のドライヤー。
【請求項７】
前記内筒部の内壁は、少なくとも一部が前記第１取付部よりも前側に位置し前記内壁を径方向に貫通する開口を有し、
前記開口は、前記第１取付部材と周方向に異なる位置にある、
請求項３又は４に記載のドライヤー。
【請求項８】
前記モータ装着部は、前記モータの径方向外側に位置する有底筒状の外筒ケースを含み、
前記外筒ケースは、後側に底板部を有し、
前記取付部は、前記底板部から前側に延びる複数の第１取付部を含み、
前記複数の第１取付部材と前記底板部との固定位置は、周方向において均等に配置される、
請求項１に記載のドライヤー。
【請求項９】
前記モータ装着部は、前記モータの径方向外側に位置する有底筒状の外筒ケースを含み、
前記外筒ケースは、後側に底板部を有し、
前記取付部は、前記底板部から前側に延びる複数の第１取付部を含み、
前記複数の第１取付部と前記底板部との固定位置の少なくともひとつは、周方向において均等な配置からずれた位置に配置される、
請求項１に記載のドライヤー。
【請求項１０】
前記内筒部の材料は、前記外筒部の材料よりも柔らかい、
請求項３〜６のいずれか一項に記載のドライヤー。
【発明の詳細な説明】
【技術分野】
【０００１】
本発明は、ドライヤーに関するものである。
【背景技術】
【０００２】
例えば、下記特許文献１に示すように、ドライヤーに対するインナーロータ式のモータの固定構造が提案されている。
ドライヤーにおいて、インペラを回転させるためのモータとしてインナーロータ式のものを用いた場合、通常、ドライヤーのケースに対してステータの外周が固定される。このとき、ドライヤーの風量を増すために、例えば、モータを高速回転させると、モータの発熱を冷却しづらくなる。
そこで、例えば、下記特許文献２に示すようなアウターロータ方式のモータを用いることで、モータの発熱を冷却しやすくすることが考えられる。
【先行技術文献】
【特許文献】
【０００３】
【特許文献１】特許第４６７４７６９号公報
【特許文献２】特開２０１５−０９５９２０号公報
【発明の概要】
【発明が解決しようとする課題】
【０００４】
例えば、特許文献２に記載のモータにインペラを取り付けた場合、モータが片持ち支持された構造となる。ここで、インペラに動的アンバランスがある場合、モータのシャフトが振れ回る動き（以下、振れ回り運動という）をする。モータを片持ち支持した場合、インペラ及びモータを含むアッセンブリーには片持ちによる支持部を支点とし、インペラ側が径方向外側に変位した状態で回転する振れ回り運動が生じる。
【０００５】
ところで、一般にドライヤーでは使用状況によって風量を多くすることがある。風量を多くするには、ファン（モータ）の回転数を高くする必要がある。ファンの回転数を高くすると、インペラの動的アンバランスの影響が大きくなる。動的アンバランスの影響が大きくなると、振れ回り運動に起因した振動も大きくなる。このような振れ回り運動に起因する振動は、モータ固定部を介してドライヤーケースへと伝わる。そして、ドライヤーケースを介してドライヤーの使用者へと伝わり、使用者の快適性を損なわせるおそれがあった。
一般的に、片持ち支持の固定部を柔らかく支持する構造を採用することも考えられるが、この場合、モータ全体の振動がより大きく激しくなってしまう。つまり、片持ちで支持した構造を単純に柔らかくしても振動及び騒音を低減することが難しかった。
【０００６】
本発明は、上記の課題を解決するためになされたものであって、振動を抑制することで使用者の快適性を向上させたドライヤーを提供することを目的とする。
【課題を解決するための手段】
【０００７】
本願のドライヤーの例示的な一実施形態は、前後に延びる中心軸に沿って前方へ風を送り出すドライヤーであって、中心軸を中心とするシャフトを含むロータを有するモータと、シャフトの後側に取り付けられるインペラと、モータの径方向外側に位置し、モータを保持する筒状のモータ装着部と、モータをモータ装着部に取り付ける取付部と、モータ装着部の径方向外側を周方向に囲む筒状のドライヤーケースと、を備える。モータ装着部は、ドライヤーケースに固定される静翼を有する。取付部は、モータの前側の端部とインペラとの前後方向の間でモータ装着部に固定される。モータは、モータの前側の端部がモータ装着部に対して径方向に揺動可能である。
【発明の効果】
【０００８】
本発明によれば、振動を抑制することで使用者の快適性を向上させたドライヤーが提供される。
【図面の簡単な説明】
【０００９】
【図１】図１は、第１実施形態のドライヤーを示す断面図である。
【図２】図２は、第１実施形態のモータを示す断面図である。
【図３】図３は、本実施形態の振れ回り運動を説明するための図である。
【図４】図４は、第２実施形態のドライヤーを示す断面図である。
【図５】図５は、第２実施形態の内筒部を周方向に展開した展開図である。
【図６】図６は、第２実施形態の第１変形例におけるモータ装着部を示す展開図である。
【図７】図７は、第２実施形態の第２変形例におけるモータ装着部を示す展開図である。
【図８】図８は、第２実施形態の第３変形例におけるモータ装着部を示す展開図である。
【発明を実施するための形態】
【００１０】
以下、図面を参照しながら、本発明の実施形態におけるドライヤーについて説明する。なお、本発明の範囲は、以下の実施の形態に限定されず、本発明の技術的思想の範囲内で任意に変更可能である。また、以下の図面においては、各構成をわかりやすくするために、各構造における縮尺および数等を、実際の構造における縮尺および数等と異ならせる場合がある。
【００１１】
また、図面においては、適宜３次元直交座標系としてＸＹＺ座標系を示す。ＸＹＺ座標系において、Ｘ軸方向は、図１乃至８に示す中心軸Ｏの軸方向と平行な方向とする。Ｚ軸方向は、Ｘ軸方向と直交する方向であって図１乃至８における紙面貫通方向とする。Ｙ軸方向は、Ｘ軸方向とＺ軸方向との両方と直交する方向とする。
【００１２】
また、以下の説明においては、中心軸Ｏの延びる方向（Ｘ軸方向）を前後方向とする。Ｘ軸方向の負の方向（−Ｘ方向）を「前側方向」、「前側」または「前方」と呼び、Ｘ軸方向の正の方向（＋Ｘ方向）を「後側方向」、「後側」または「後方」と呼ぶ。なお、前後方向、前側および後側とは、単に説明のために用いられる名称であって、実際の位置関係や方向を限定しない。また、特に断りのない限り、中心軸Ｏに平行な方向（Ｘ軸方向）を単に「前後方向」と呼び、中心軸Ｏを中心とする径方向を単に「径方向」と呼び、中心軸Ｏを中心とする周方向（θＺ方向）、すなわち、中心軸Ｏの軸周りを単に「周方向」と呼ぶ。
【００１３】
（第１実施形態）
図１は、本実施形態のドライヤー１００を示す断面図である。また、図２は、モータ１を示す断面図である。本実施形態のモータ１は、アウターロータ式のブラシレスモータである。
【００１４】
図１に示すように、本実施形態のドライヤー１００は、中心軸Ｏに沿って前方へ風を送り出すヘヤードライヤーである。ドライヤー１００は、ドライヤーケース７と、該ドライヤーケース７内に空気を取り込むファン９０とを備える。なお、本実施形態のドライヤー１００は、ドライヤーケース７内のファン９０よりも前側の空間に配置された加熱装置（不図示）を有し、ファン９０によってケース内部に取り込んだ空気を加熱して温風として送り出す。ドライヤー１００は、モータ１と、インペラ３と、モータ装着部５０と、取付部６と、ドライヤーケース７と、を有する。
【００１５】
（ドライヤーケース）
ドライヤーケース７は、前側ケース７ａと、中間ケース７ｂと、後側ケース７ｃとを有する。これら前側ケース７ａ、中間ケース７ｂ及び後側ケース７ｃは、例えば、互いが嵌合することで一体化し、ドライヤー１００の外装を構成する。
【００１６】
前側ケース７ａは、前側ケース７ａの前側に位置する温風を吹き出す吹出部１１０を有する。吹出部１１０は、温風を吹き出す吹出口１１０ａを有する。前側ケース７ａは、後側から前側（吹出部１１０側）に向かうにつれて内径が狭まる略筒状の部材である。
中間ケース７ｂは前側ケース７ａの後側に配置され、ファン９０の後側を覆う部材である。中間ケース７ｂは、ファン９０に空気を導く導風口７ｂ１を有する。
後側ケース７ｃは、中間ケース７ｂの後側に配置され、ドライヤーケース７の後側からドライヤーケース７の内部に空気を吸い込む吸込部１１１を有する。吸込部１１１は、空気を吸い込む吸込口１１１ａを有する。
【００１７】
なお、ドライヤーケース７は、Ｚ軸方向の負側の面にドライヤー１００の使用者が把持するためのグリップ部を有する。
【００１８】
（ファン）
ファン９０は、モータ１と、インペラ３と、モータ装着部５０と、取付部６と、ドライヤーケース７の一部を構成する中間ケース７ｂと、を含む。
【００１９】
＜モータ＞
図２に示すように、モータ１は、ロータ２と、ステータ１１と、ステータ支持部１２と、軸受部１３、１４と、を備える。
ロータ２は、シャフト１０と、シャフト１０に固定される筒状のロータホルダ６０と、ロータホルダ６０に固定されたロータマグネット６１とを有する。
【００２０】
シャフト１０は、中心軸Ｏに沿って配置された円柱状の軸である。シャフト１０の中心は、中心軸Ｏに一致する。
【００２１】
ロータホルダ６０は、前後方向に延びる円筒形状の筒部６０ａと、筒部６０ａの後側端部から径方向内側に延びる天板部６０ｂとを有する。シャフト１０は、天板部６０ｂの中央に位置するシャフト保持部６０ｃに圧入されることで保持される。
【００２２】
ロータマグネット６１は、筒部６０ａの内周面６０ａ１に直接又はヨークを介して保持される。ロータマグネット６１は、ロータホルダ６０の周方向に異なる磁極を配列する永久磁石である。
【００２３】
ステータ１１は、ステータコア１１ａと、コイル１１ｂとを有する。ステータ１１は、ステータ支持部１２の径方向外側かつロータマグネット６１の径方向内側において、周方向に等間隔で配列される。コイル１１ｂは回路部（不図示）に搭載される電気回路と電気的に接続される。
【００２４】
ステータ支持部１２は、前後方向に延びる略円筒状の部材である。ステータ支持部１２の外周面１２ａに、ステータ１１が支持される。ステータ支持部１２は、内周面１２ｂの前側に軸受部１３を保持し、内周面１２ｂの後側に軸受部１４を保持する。本実施形態において、ステータ支持部１２の前側の端部１２ｃは、モータ１の前側の端部１ａに相当する。
【００２５】
軸受部１３および軸受部１４は、シャフト１０を回転可能に支持する。そして、ロータ２は、シャフト１０とともに中心軸Ｏを中心として回転可能である。したがって、ロータ２がステータ１１の径方向外側において、中心軸Ｏを中心として回転している。そのため、本実施形態におけるモータ１は、アウターロータ式のモータである。
【００２６】
＜インペラ＞
図１に示したように、インペラ３は、シャフト１０の後側に取り付けられる。インペラ３は、ロータ２の回転に伴ってシャフト１０とともに中心軸Ｏを中心として回転する。インペラ３は、本体部３ａと、該本体部３ａに取り付けられた複数の羽根３ｂとを有する。複数の羽根３ｂは、本体部３ａの周方向に配置される。
【００２７】
本実施形態のインペラ３は遠心式のインペラである。遠心式のインペラ３は、シャフト１０の回転に伴って前後方向に沿って吸気した空気を径方向外側へと排出することでドライヤーケース７の内部に位置する流路Ｒへと導く。
【００２８】
＜モータ装着部＞
モータ装着部５０は、モータ１の径方向外側に位置し、モータ１を保持する筒状の部材である。モータ装着部５０は、有底筒状のモータケース２０と、該モータケース２０の径方向外側に位置する複数の静翼５とを含む。モータ装着部５０は、静翼５がドライヤーケース７（前側ケース７ａ）にネジ３２で固定される。
【００２９】
モータケース２０は、前後方向に延びる略筒状の筒部２０ｂと、筒部２０ｂの後側端部から径方向内側に延びる底板部２０ａとを有する。
筒部２０ｂは、筒部２０ｂの外周面２０ｂ２から径方向外側へ延びる複数の静翼５と、筒部２０ｂの内周面２０ｂ１から径方向内側に突出する凸部２１とを有する。
底板部２０ａは、中央にシャフト１０を挿通させるための貫通孔２９を有する。すなわち、モータ装着部５０は、モータ装着部５０の内周面から径方向内側に突出する凸部２１を有する。
【００３０】
凸部２１は、筒部２０ｂの内周面２０ｂ１において、モータ１の前側の端部１ａよりも後側に位置する。凸部２１は、筒部２０ｂの内周面２０ｂ１に接続される基部２１ｂと、基部２１ｂから径方向内側へ延びる先端部２１ａとを含む。凸部２１において、基部２１ｂの周囲が窪んでおり、先端部２１ａよりも基部２１ｂの方が細い。これにより、凸部２１では、基部２１ｂの剛性が先端部２１ａの剛性よりも相対的に低い。
【００３１】
＜取付部＞
取付部６は、モータ１をモータ装着部５０に取り付ける部分である。取付部６は、モータ１の前側の端部１ａとインペラ３との前後方向の間でモータ装着部５０（モータケース２０）に固定される。取付部６は、少なくともモータ１を支持した状態において撓まない程度の剛性を有する。取付部６は、第１取付部６ａと、第２取付部６ｂとを含む。
【００３２】
第１取付部６ａは、プラスチック材料から構成された柱状の部材であり、モータ装着部５０（筒部２０ｂ）の凸部２１に固定される。第１取付部６ａは、凸部２１に対して嵌合或いはネジ止め等により強固に固定される。
【００３３】
第２取付部６ｂは、モータ１の前側の端部１ａ（ステータ支持部１２の前側の端部１２ｃ）にネジ止めで固定される。第２取付部６ｂは、端部１ａから径方向外側に向かって延びる金属製の部材である。第２取付部６ｂは、第２取付部６ｂの径方向外側において、端部６ｂ１が第１取付部６ａの前側の端部６ａ１とネジ３１により固定される。なお、第１取付部６ａの前側の端部６ａ１にネジ３１を締結するためのネジ穴（不図示）が位置する。
【００３４】
取付部６は、所定の剛性を有した状態でモータ１を凸部２１に固定する。本実施形態において、凸部２１は、基部２１ｂの剛性が先端部２１ａの剛性よりも相対的に低い。そのため、取付部６は凸部２１を支点として微小に揺動可能である。
したがって、取付部６により凸部２１に固定されたモータ１の側の端部１ａが、モータ装着部５０に対して径方向に揺動可能である。
【００３５】
以上のような構成に基づき、本実施形態のドライヤー１００は、取付部６およびモータ装着部５０を介してモータ１をドライヤーケース７に支持する。
【００３６】
一般にドライヤーでは使用状況によって風量を多くすることがある。風量を多くするには、ファン（モータ）の回転数を高くする必要がある。ここで、インペラ３に動的アンバランスがある場合、モータ１のシャフト１０が振れ回る動き（以下、振れ回り運動という）をする。ファン９０の回転数を高くすると、インペラ３の動的アンバランスの影響が大きくなる。
【００３７】
動的アンバランスの影響が大きくなると、振れ回り運動に起因した振動も大きくなる。このような振れ回り運動に起因する振動は、モータ装着部を介してドライヤーケースへと伝わる。そして、ドライヤーケースを介してドライヤーの使用者へと伝わり、使用者の快適性を損なわせる要因となる。
【００３８】
まず、本実施形態との比較例としてモータを片持ちで支持した場合において生じる振れ回り運動を考える。片持ち支持構造を採用した場合、振れ回り運動に起因する振動や騒音によってドライヤーの使用者の快適性を大きく損なわれてしまう。
【００３９】
本実施形態のモータ１の支持構造は振動の節に着目したものである。
物体の振動モードは様々であるが、いずれの振動モードにも必ず振動の大きい位置（腹）と振動が小さくほぼゼロに近い位置（節）とが存在する。
【００４０】
図３は本実施形態のモータ１に生じる振れ回り運動を示した概念図である。
図３に示されるインペラ３及びモータ１を含むアッセンブリーＡの全体を柔らかく支持したと仮定した場合、アッセンブリーＡは自由な振動をする。
ここで、アッセンブリーＡは、該アッセンブリーＡの重心に近い位置が動かず、モータ１の前側の端部１ａとインペラ３側とが径方向の逆向きに変位しながら回転する振れ回り運動を行う。この場合、アッセンブリーＡの重心に近い位置が節Ｆに相当する。なお、アッセンブリーＡの重心に近い位置が節Ｆに相当すると表現したのは、振動の節Ｆの位置が質量分布とインペラ３の回転による反力発生分布とが合わさった結果に基づいて決定され、節Ｆの位置と重心の位置とは必ずしも一致しないためである。
【００４１】
モータ装着部５０を介してドライヤーケース７側に伝わる振動を抑制するには、節Ｆにおいてモータ１を支持するのが有効である。なぜなら、上述のように、節Ｆの位置において、振動幅が小さいからである。しかし、モータ１は、節Ｆに相当する位置にロータ２が配置される。本実施形態におけるロータ２は、アウターロータであるため、該節Ｆの位置でモータ１をドライヤーケース７に直接支持することはできない。
【００４２】
本実施形態のドライヤー１００では、節Ｆの近傍の位置Ｐ１でモータ１をドライヤーケース７に固定する。具体的には、節Ｆの近傍の位置Ｐ１に凸部２１を配置し、取付部６によりモータ１を上記位置Ｐ１で支持する支持構造を構成する。
【００４３】
なお、節Ｆの近傍の位置Ｐ１においても節Ｆの位置から僅かにずれるため、微小な振動が発生する。本実施形態では、上述のように凸部２１において、基部２１ｂの剛性を先端部２１ａの剛性よりも相対的に低くすることで、取付部６がモータ装着部５０の径方向に揺動することを許容する。
そのため、取付部６により凸部２１に固定されたモータ１は、上述のように前側の端部１ａがモータ装着部５０に対して径方向に揺動することで上記微小な振動を吸収できる。したがって、モータ装着部５０を介してドライヤーケース７側へ伝わる振動を低減することができる。
【００４４】
このように本実施形態のモータ１の支持構造は、振動の節Ｆの位置でモータ１をドライヤーケース７に固定した場合とほぼ等価の構造となる。そのため、ファン９０を高速で回転させた際に、インペラ３及びモータ１を含むアッセンブリーＡが振れ回り運動をした場合でも、モータ１の振動がドライヤーケース７に伝わり難くなる。また、ドライヤーケース７に伝わる振動が抑えられるため、振動に伴う騒音の発生も抑制することができる。
以上のように本実施形態のドライヤー１００によれば、振動及び騒音が低減されることで使用者の快適性を向上させることができる。
【００４５】
（第２実施形態）
第２実施形態は、第１実施形態に対して、取付部とモータ装着部との接続構造が異なる。なお、第１実施形態と同様の構成については、適宜同一の符号を付す等により、説明を省略する場合がある。
【００４６】
図４は、本実施形態のドライヤー１０１を示す断面図である。図４に示すように、ドライヤー１０１は、ドライヤーケース７と、該ドライヤーケース７内に空気を取り込むファン９１とを備える。ドライヤー１０１は、モータ１と、インペラ３と、モータ装着部５１と、取付部１６と、ドライヤーケース７と、を有する。
【００４７】
（ファン）
ファン９１は、モータ１と、インペラ３と、モータ装着部５１と、取付部１６と、ドライヤーケース７の一部を構成する中間ケース７ｂと、を含む。
【００４８】
＜モータ装着部及び取付部＞
モータ装着部５１は、モータ１の径方向外側に位置する有底筒状の外筒ケース２３と、外筒ケース２３の径方向外側の外面に位置する複数の静翼５とを含む。モータ装着部５１は、静翼５がドライヤーケース７（前側ケース７ａ）にネジ３２で固定される。
【００４９】
外筒ケース２３は、前後方向に延びる略筒状の外筒部２３ｂと、外筒部２３ｂの後側端部から径方向内側に延びる底板部２３ａと、該外筒部２３ｂの径方向内側に位置し、底板部２３ａから前側に延びる略筒状の内筒部２２とを有する。内筒部２２の径方向の厚さは、外筒部２３ｂの径方向の厚さよりも薄い。複数の静翼５は、外筒部２３ｂの外周面２３ｂ２の径方向外側に位置する。底板部２３ａは前後方向に貫通する貫通孔２９を有する。シャフト１０は貫通孔２９を挿通することで底板部２３ａの前後方向における両側に位置する。
【００５０】
貫通孔２９は、内筒部２２よりも径方向内側、具体的には底板部２３ａの中央に位置する。この構成にすれば、本実施形態のように、遠心式のインペラ３を採用した場合に、騒音の原因となる渦を発生させる通風路として貫通孔２９が機能することが無い。よって、渦による騒音の発生を抑制することができる。
【００５１】
外筒ケース２３の前後方向に沿った断面形状において、外筒ケース２３の外形は拡径部分４１と縮径部分４２とを有する。拡径部分４１は、底板部２３ａから前方に向かって外径が漸次拡大する部位である。縮径部分４２は、拡径部分４１から前方に向かって外径が漸次縮小する部位である。
これにより、外筒ケース２３は、インペラ３により流路Ｒに送り込んだ空気を外周面２３ｂ２に沿って前方側へスムーズに送り出すことができる。
【００５２】
取付部１６は、モータ１をモータ装着部５１に取り付ける部分である。取付部１６は、モータ１の前側の端部１ａとインペラ３との前後方向の間でモータ装着部５１に固定される。本実施形態において、取付部１６は底板部２３ａに固定される。
【００５３】
具体的に、取付部１６は、第１取付部１６ａと、第２取付部１６ｂとを含む。
第１取付部１６ａにおける後側の端部１６ａ２が、底板部２３ａに固定される。第１取付部１６ａは、外筒ケース２３の内筒部２２の内壁２２ａに沿って前側に延びる。第１取付部１６ａは、内筒部２２の内壁２２ａに接着固定される。
なお、第１取付部１６ａは、底板部２３ａ及び内筒部２２と同一部材から構成されていても良い。この場合、第１取付部１６ａの後側の端部が底板部２３ａとの接続部分となる。
【００５４】
第２取付部１６ｂは、モータ１の端部１ａから径方向外側に向かって延びる金属製の部材である。第２取付部１６ｂは、モータ１の前側の端部１ａ（ステータ支持部１２の前側の端部１２ｃ）にネジ止め固定される。第２取付部１６ｂは、径方向外側の端部１６ｂ１において、第１取付部１６ａの前側の端部１６ａ１とネジ３１により固定される。なお、第１取付部１６ａの前側の端部１６ａ１にネジ３１を締結するためのネジ穴（不図示）が位置する。すなわち、第１取付部１６ａは、底板部２３ａから内筒部２２の内壁に沿って前側に延びる。第２取付部１６ｂは、モータ１の前側の端部１ａと第１取付部１６ａとを接続する。
【００５５】
図５は内筒部２２を周方向に展開した展開図である。図５に示すように、内筒部２２は、径方向に貫通するスリット２５を有する。内筒部２２は、スリット２５により前側端部の剛性が後側端部の剛性よりも低い。
【００５６】
具体的に、スリット２５は内筒部２２の内壁２２ａに沿って延びる第１取付部１６ａの前側の端部１６ａ２よりも前側および周方向両側に位置する。内筒部２２の内壁２２ａのうち上記スリット２５で囲まれた部分は外筒部２３ｂに対して径方向に揺動可能である。つまり、第１取付部１６ａの前側は、内筒部２２とともに外筒部２３ｂに対して径方向に揺動可能である。
【００５７】
モータ１の前側の端部１ａを支持する第２取付部１６ｂは第１取付部１６ａに固定される。そのため、第２取付部１６ｂは、該第１取付部１６ａとともに外筒部２３ｂに対して径方向に揺動可能である。したがって、本実施形態のモータ１は、取付部１６により、前側の端部１ａがモータ装着部５１に対して径方向に揺動可能である。
【００５８】
本実施形態のドライヤー１０１においてファン９１を高速回転させた際、第１実施形態と同様、インペラ３及びモータ１を含むアッセンブリーＡはモータ１の前側の端部１ａとインペラ３側とが径方向の逆向きに変位しながら回転する振れ回り運動をする（図３（ｂ）参照）。
【００５９】
本実施形態によれば、モータ１の前側の端部１ａとインペラ３との前後方向の間（具体的には、底板部２３ａ）でモータ装着部５１に対してモータ１が取付部１６によって固定される。つまり、第１実施形態と同様、振動の節の近傍でモータ１及びインペラ３を含むアッセンブリーをモータ装着部５１に固定することができる。
【００６０】
底板部２３ａは振動の節の位置と多少異なるため、モータ１側から微小な振動が伝達するおそれがある。これに対し、本実施形態では、取付部１６によりモータ装着部５１の径方向にモータ１の前側の端部１ａが揺動することで上記微小な振動を吸収することができる。
【００６１】
したがって、本実施形態においても、第１実施形態と同様、振動の節の位置でモータ１をドライヤーケース７に支持した支持構造とほぼ等価の支持構造を実現することができる。よって、ファン９１を高速で回転させた際に振れ回り運動が生じた場合でも、モータ１の振動がドライヤーケース７に伝わり難くなる。また、ドライヤーケース７に伝わる振動が抑えられるため、振動に伴う騒音の発生も抑制することができる。
以上のように、本実施形態のドライヤー１０１においても振動及び騒音を低減することで使用者の快適性を向上させることができる。
【００６２】
また、本実施形態においては、図６から図８に示す構成を変形例として採用できる。なお、以下の説明においては、上記説明と同様の構成については、適宜同一の符号を付す等により説明を省略する場合がある。
【００６３】
（第２実施形態の第１変形例）
図６は、本実施形態の第１変形例である内筒部２２を周方向に展開した展開図である。図６においては、底板部２３ａ及び外筒部２３ｂの図示を省略する。
【００６４】
図６に示すように、内筒部２２は、前側に開口する切欠２６を有する。切欠２６は、第１取付部１６ａと周方向で異なる位置にある。内筒部２２は、切欠２６により前側の剛性が後側の剛性よりも低い。
【００６５】
内筒部２２の内壁２２ａのうち第１取付部１６ａの前側の剛性は、上記切欠２６によって、後側の剛性よりも低い。そのため、第１取付部１６ａの前側は、内筒部２２とともに外筒部２３ｂに対して径方向に揺動可能である。これにより、モータ１は、前側の端部１ａがモータ装着部５１の径方向に揺動可能となる。
その他の構成は、第２実施形態のドライヤー１０１の構成と同様である。
【００６６】
（第２実施形態の第２変形例）
図７は、本実施形態の第２変形例である内筒部２２を周方向に展開した展開図である。図７においては、底板部２３ａ及び外筒部２３ｂの図示を省略する。
【００６７】
図７に示すように、内筒部２２は内壁２２ａを径方向に貫通する開口３０を有する。開口３０は、第１取付部１６ａと周方向で異なる位置にある。内筒部２２は、開口３０により前側端部の剛性が後側端部の剛性よりも低い。
【００６８】
具体的に、開口３０は少なくとも一部が第１取付部１６ａよりも前側に位置する。また、開口３０の前側の端部が第１取付部１６ａの前側の端部と前後方向に同じ位置でも良い。
【００６９】
内筒部２２の内壁２２ａのうち第１取付部１６ａの前側の剛性は、上記開口３０によって、後側の剛性よりも低い。そのため、第１取付部１６ａの前側は、内筒部２２とともに外筒部２３ｂに対して径方向に揺動可能である。これにより、モータ１は、前側の端部１ａがモータ装着部５１の径方向に揺動可能となる。
その他の構成は、第２実施形態のドライヤー１０１の構成と同様である。
【００７０】
（第２実施形態の第３変形例）
図８は、本実施形態の第３変形例である外筒ケース１２３を周方向に展開した展開図である。
図８に示すように、外筒ケース１２３は、前後方向に延びる略筒状の外筒部１２３ｂと、外筒部１２３ｂの後側端部から径方向内側に延びる底板部１２３ａと、該外筒部１２３ｂの径方向内側に位置し、底板部２３ａから前側に延びる内壁部１２４とを有する。内壁部１２４の径方向の厚さは、外筒部１２３ｂの径方向の厚さよりも薄い。
【００７１】
内壁部１２４は、底板部１２３ａに固定される第１取付部１６ａの後側の端部１６ａ２を支持する複数の支持部１２４ａと、複数の支持部１２４ａ間を接続する接続部１２４ｂとを含む。支持部１２４ａの前後方向の高さは、接続部１２４ｂの前後方向の高さよりも大きい。支持部１２４ａの前後方向の高さは、第１取付部１６ａの前後方向の高さのほぼ半分（１／２）である。
【００７２】
複数の第１取付部１６ａと底板部１２３ａとの固定位置は、例えば、内壁部１２４の周方向において均等に配置される。なお、複数の第１取付部１６ａと底板部１２３ａとの固定位置の少なくとも１つは内壁部１２４の周方向において均等な配置からずれた位置に配置されても良い。
このようにすれば、モータ装着部５１に対する取付部１６の組み付け方向が一義的に決まるため、モータ１の組み付け方向の間違いを無くすことができる。
【００７３】
第１取付部１６ａは前側が内壁部１２４に支持されないため、外筒部２３ｂに対して径方向に揺動可能である。プラスチックから構成される第１取付部１６ａは、内壁部１２４に支持されていない前側が撓むことで適度な柔軟性が得られる。
このように本変形例においても、モータ１の前側の端部１ａがモータ装着部５０に対して径方向に揺動可能となる。
【００７４】
なお、上記実施形態および変形例ではスリット２５、切欠２６及び開口３０により内筒部２２の前側の剛性を後側の剛性よりも低くする場合を例に挙げたが、本発明はこれに限定されない。例えば、外筒ケース２３の材料の中で内筒部２２の材料を柔らかくするようにしても良い。すなわち、内筒部２２の材料として、底板部２３ａ及び外筒部２３ｂの材料とは別の柔らかい材料を用いても良い。これにより、内筒部２２に可撓性を付与することができるので、内筒部２２が外筒部２３ｂの径方向に揺動可能な構成を容易に実現できる。
【００７５】
本変形例では、外筒ケース１２３が内壁部１２４を有する場合を例に挙げたが、内壁部１２４を有さず、底板部１２３ａから前側に向かって複数の第１取付部１６ａが延びる構成であっても良い。
【００７６】
なお、本実施形態においては、ドライヤーケース７の一部（中間ケース７ｂ）がファン９０の外装面と一体の場合を例に挙げたが、本発明はこれに限定されない。例えば、前側ケース７ａが２重構造を有しており、径方向内側のケースがファン９０の外装ケースを構成していて良い。
【００７７】
また、上記実施形態においては、取付部６，１６が第１取付部６ａ，１６ａ及び第２取付部６ｂ，１６ｂの２部材から構成される場合を例に挙げたが、取付部６，１６が１つの部材から構成されていても良い。
【００７８】
また、上記実施形態においては、取付部６，１６がモータ１と別体から構成される場合を例に挙げたが、取付部６，１６がモータ１の一部（例えば、ステータ支持部１２）であっても良い。
【００７９】
また、上記実施形態においては、インペラ３として遠心式のインペラを用いる場合を例に挙げたが、これに限定されない。例えば、インペラ３として斜流式のインペラを用いても良い。
【００８０】
なお、上記説明した各構成は、相互に矛盾しない範囲内において、適宜組み合わせることができる。
【符号の説明】
【００８１】
１…モータ、１ａ…端部、２…ロータ、３…インペラ、５…静翼、６，１６…取付部、６ａ，１６ａ…第１取付部、６ｂ，１６ｂ…第２取付部、７…ドライヤーケース、１０…シャフト、２１…凸部、２２…内筒部、２３，１２３…外筒ケース、２３ａ，１２３ａ…底板部、２５…スリット、２６…切欠、３０…開口、５０，５１…モータ装着部、１００，１０１…ドライヤー、Ｏ…中心軸。
【図１】
2017006315.tif 000003
【図２】
2017006315.tif 000004
【図３】
2017006315.tif 000005
【図４】
2017006315.tif 000006
【図５】
2017006315.tif 000007
【図６】
2017006315.tif 000008
【図７】
2017006315.tif 000009
【図８】
2017006315.tif 000010